Podtech/llm-jp-corpus-v4-ja_patent huggingface dataset:
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
遊技者による操作の結果に基づいて、単位遊技の開始を指令する遊技開始指令手段と、
前記遊技開始指令手段からの遊技開始指令信号に基づいて、当選役を決定する当選役決定手段と、
入賞態様を入賞表示手段に停止表示させる入賞表示制御手段と、
前記当選役が第１の役であることに基づいて、前記入賞表示制御手段により前記入賞表示手段に特定の入賞態様が停止表示された場合に、遊技者に有利な有利状態を発生させる有利状態発生手段と、
前記有利状態が開始または終了してからの単位遊技の回数に基づいて、前記当選役決定手段が当選役を第２の役に決定する確率が第１の確率である第１確率状態から、前記当選役決定手段が当選役を前記第２の役に決定する確率が前記第１の確率と異なる第２の確率である第２確率状態に、確率状態を移行させる状態移行手段と、
を備えたことを特徴とする遊技機。
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
遊技者による操作の結果に基づいて、単位遊技の開始を指令する遊技開始指令手段と、
前記遊技開始指令手段からの遊技開始指令信号に基づいて、内部当選役を決定する内部当選役決定手段と、
少なくとも前記内部当選役に基づいて、入賞態様を入賞表示手段に停止表示させる入賞表示制御手段と、
一般遊技状態と、当該一般遊技状態と比較して入賞に係る内部当選役が決定される確率が高い有利状態とを備え、
少なくとも前記有利状態において、内部当選役として特別役を決定することを特徴とする遊技機。
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
遊技者による操作の結果に基づいて、単位遊技の開始を指令する遊技開始指令手段と、
前記遊技開始指令手段からの遊技開始指令信号に基づいて、当選役を決定する当選役決定手段と、
入賞態様を入賞表示手段に停止表示させる入賞表示制御手段と、
前記当選役が第１の役であることに基づいて、前記入賞表示制御手段により前記入賞表示手段に特定の入賞態様が停止表示された場合に、前記当選役決定手段が当選役として第２の役を決定する確率が第１の確率である第１確率状態から、前記当選役決定手段が当選役として前記第２の役を決定する確率が前記第１の確率とは異なる第２の確率である第２確率状態に、確率状態を移行させる状態移行手段と、
を備えたことを特徴とする遊技機。
【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、
前記各周回体が停止し、前記表示窓から視認できる有効位置に前記絵柄によって形成される第１特定絵柄の組合せが成立している場合、第１ゲーム数が終了するか又はその間にボーナス状態が第１回数行われるまで継続する特別遊技状態を付与するように構成され、前記ボーナス状態が第２ゲーム数が終了するか又はその間に第２特定絵柄が停止する入賞が第２回数行われるまで継続するものとして構成された遊技機において、
前記特別遊技状態として前記第１回数を異ならせた第１特別遊技状態と第２特別遊技状態とが設定されていることを特徴とする遊技機。
【請求項２】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、
前記各周回体が停止し、前記表示窓から視認できる有効位置に前記絵柄によって形成される第１特定絵柄の組合せが成立している場合、第１ゲーム数が終了するか又はその間にボーナス状態が第１回数行われるまで継続する特別遊技状態を付与するように構成され、前記ボーナス状態が第２ゲーム数が終了するか又はその間に第２特定絵柄が停止する入賞が第２回数行われるまで継続するものとして構成された遊技機において、
前記特別遊技状態として前記第２回数を異ならせた第１特別遊技状態と第２特別遊技状態とが設定されていることを特徴とする遊技機。
【請求項３】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、
前記各周回体の回転開始から回転停止までを１遊技回とし、前記各周回体が停止した際、前記表示窓から視認できる有効位置に前記絵柄によって形成される第１特定絵柄の組合せが成立していることに基づいて、第１遊技回が終了するか又はその間にボーナス状態が第１回数行われるまで継続する特別遊技状態を付与するように構成され、前記ボーナス状態が第２遊技回が終了するか又はその間に第２特定絵柄の組合せが停止する入賞が第２回数行われるまで継続するものとして構成された遊技機において、
前記特別遊技状態として前記第１回数又は前記第２回数のうち少なくとも一方が異なる複数の特別遊技状態を予め設定し、
前記複数の特別遊技状態のうち１つを選択する特別遊技状態選択手段と、
前記始動操作手段の操作に基づいて、前記第１特定絵柄の組合せを前記有効位置に停止させることが可能な当選か否かの抽選を行う抽選手段と、
前記抽選手段の抽選結果が当選であって、前記有効位置に前記第１特定絵柄の組合せが成立している場合に、前記特別遊技状態選択手段が選択した特別遊技状態を発生させる特別遊技状態発生手段と
を備えたことを特徴とする遊技機。
【請求項４】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、
前記各周回体の回転開始から回転停止までを１遊技回とし、前記各周回体が停止した際、前記表示窓から視認できる有効位置に前記絵柄によって形成される第１特定絵柄の組合せが成立していることに基づいて、第１遊技回が終了するか又はその間にボーナス状態が第１回数行われるまで継続する特別遊技状態を付与するように構成され、前記ボーナス状態が第２遊技回が終了するか又はその間に第２特定絵柄の組合せが停止する入賞が第２回数行われるまで継続するものとして構成された遊技機において、
前記始動操作手段の操作に基づいて、前記特別遊技状態中に所定絵柄又は所定絵柄の組合せが前記有効位置に成立し得る当選か否かを抽選する所定絵柄抽選手段と、
前記所定絵柄抽選手段の抽選結果が当選である場合に、前記第１回数又は前記第２回数のうち少なくとも一方の回数を増加させる回数増加手段と
を備えたことを特徴とする遊技機。
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
粘着性の表面および非粘着性の裏面を備えたシートが巻かれたロールを、その中心軸の回りに回転可能なように支持するロール支持部と、
前記ロールのシートを分断するための分断用の部分を備えたシート押さえと、
前記分断用の部分が前記ロールの表面に押しつけられる位置から、前記分断用の部分が前記ロールの表面から離れる位置に移動可能なように、前記シート押さえを前記ロール支持部に連結した連結部とを有し、
前記分断用の部分は、分断後に前記ロールに残されたシートの先端が付着する部分を備えている、ホルダ。
【請求項２】
請求項１において、前記分断用の部分は、さらに、前記シートが付着し難い部分を備えている、ホルダ。
【請求項３】
請求項１において、前記分断用の部分の断面は、前記ロールの方向に凸になるように湾曲しており、ほぼ円形の一部をカットした形状またはほぼ半円形である、ホルダ。
【請求項４】
請求項１において、前記分断用の部分の断面は、前記ロールの表面に接したときにほぼ接線方向に延びる平板状である、ホルダ。
【請求項５】
請求項１において、前記分断用の部分は弾性部材であるホルダ。
【請求項６】
請求項１において、前記分断用の部分は前記ロールから剥がされたシートを分断する際に刃として機能するエッジを備えているホルダ。
【請求項７】
請求項１ないし６のいずれかに記載のホルダと、
前記ホルダのロール支持部に取り付けられたロールとを有するクリーナ。
【請求項８】
請求項７において、
前記ロールに残されたシートの先端が前記分断用の部分に付着して剥がれ、折り返されている、クリーナ。
【手続補正２】
【補正対象書類名】明細書
【補正対象項目名】００１１
【補正方法】変更
【補正の内容】
【００１１】
本発明の一態様は、粘着性の表面および非粘着性の裏面を備えたシートが巻かれたロールを、その中心軸の回りに回転可能なように支持するロール支持部と、ロールのシートを分断するための分断用の部分を備えたシート押さえと、分断用の部分がロールの表面に押しつけられる位置から、分断用の部分がロールの表面から離れる位置に移動可能なように、シート押さえをロール支持部に連結した連結部とを有し、分断用の部分は、分断後にロールに残されたシートの先端が付着する部分を備えている、ホルダである。
【手続補正３】
【補正対象書類名】明細書
【補正対象項目名】００１２
【補正方法】変更
【補正の内容】
【００１２】
このホルダにおいては、シート押さえが、先ず、使用済みのシートをロールから分ける（スプリットする）スプリッタとして機能する。すなわち、シート押さえをロールの方向に動かして、その分断用の部分をロールの表面に押しつけて、ロールから剥がされた使用済みのシートを、ロールの未使用のシートから分断することができる。その後、シート押さえをロールから遠ざけて分断用の部分をロールの表面から離すと、ロールに残った未使用のシートの先端が分断用の部分の少なくとも一部に付着してロールから剥がれる。このため、次にシート押さえをロールの方向に動かして分断用の部分をロールの表面に押し付けるとロールに残った未使用のシートの先端が折り返されて非粘着性の裏面が表れる。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００３２
【補正方法】削除
【補正の内容】
【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
人体の足部の足裏を施療する足裏施療部材が、足裏の幅方向に延びる回転中心線を有し、この回転中心線を中心として前記足裏施療部材を回転させることによって、足裏の内側となる土踏まずと足裏の外側となる部位をマッサージするマッサージ装置であって、前記足裏施療部材は、足裏施療部材の１回転において押圧力の強弱を与える複数の突起部分を有し、足裏の内側を施療する突起部分の前記回転中心における回転領域の回転半径が、前記足裏施療部材における足裏の外側を施療する突起部分の前記回転中心における回転領域の回転半径より大径とされていることを特徴とするマッサージ装置。
【請求項２】
前記マッサージ装置は、下部のケースと上部のケースとを有し、上部のケースに足部の位置決め用の突出部が複数形成されているものであることを特徴とする請求項１記載のマッサージ装置。
【請求項３】
前記各突出部の各対向壁面に、エアポンプの動作と電磁バルブの回路制御により空気の注入吐出が行われて膨張、収縮するマッサージ用のエアバッグが配設されていることを特徴とする請求項２記載のマッサージ装置。
【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
対象のＭＲデータを収集するためのＭＲイメージング装置（１０）と、
対象の放射線撮像データを収集するために前記ＭＲイメージング装置（１０）内に一体に配置された回転自在の陽極（１０４）を有するＸ線イメージング装置（７０）と、
データ収集中に前記ＭＲイメージング装置（１０）のマグネット・ボア内に発生させた磁場内で前記陽極（１０４）を回転させるように構成したモータ・アセンブリ（９８）と、
を備え、
前記モータ・アセンブリ（９８）は、ラジアル・フラックス・モータと、前記ラジアル・フラックス・モータによる前記陽極（１０４）の回転によりエネルギー蓄積状態に変位させるように前記陽極（１０４）に動作可能に接続した変位スプリング（１１２）と、を含み、
前記データ収集の間、前記モータ・アセンブリ（９８）が前記磁場に磁束を導入しないように前記スプリング（１１２）はさらに、前記スプリング（１１２）上にかけられた変位が取り除かれたときに前記陽極（１０４）を回転させるように構成されているイメージング・システム。
【請求項２】
前記モータ・アセンブリ（９８）は非磁束式モータを含む、請求項１に記載のイメージング・システム。
【請求項３】
前記非磁束式モータは圧電セラミック・モータ（１１４）を含む、請求項２に記載のイメージング・システム。
【請求項４】
前記モータ・アセンブリ（９８）はＭＲデータの収集前にある特定の周波数で陽極（１０４）を回転させるように設計されたラジアル・フラックス・モータを含む、請求項１に記載のイメージング・システム。
【請求項５】
前記陽極（１０４）は、ＭＲデータの収集中に前記ラジアル・フラックス・モータによりその上に力が加わることなくマグネット・ボア内で前記特定の周波数からこれより低い周波数までの回転をするように構成されている、請求項４に記載のイメージング・システム。
【請求項６】
前記ＭＲイメージング装置は分割コイルＭＲマグネットを含む、請求項１に記載のイメージング・システム。
【請求項７】
Ｘ線データ収集用のＸ線ビームを生成するＸ線管アッセンブリ（７０）と、偏向磁場を印加するようにマグネットのボアの周りに位置決めした複数の傾斜コイルと、ＭＲ画像を収集するためにＲＦコイル・アセンブリにＲＦ信号を送信するようにパルスモジュールによって制御を受けるＲＦ送受信器システム及びＲＦスイッチと、を含むＭＲイメージングシステムと、
前記Ｘ線管アッセンブリ（７０）の回転自在の陽極（１０４）を回転させるように構成した前記マグネットの前記ボア内に配置されたモータ・アセンブリ（９８）とを備え、
前記モータ・アセンブリ（９８）は、前記回転自在の陽極をデータ収集前の回転速度に回転させ、Ｘ線データとＭＲデータの同時の収集の間、前記回転自在の陽極から解放されるラジアル・フラックス・モータを含み、
前記Ｘ線データとＭＲデータの同時の収集の前に、前記回転自在の陽極に発生した惰力により、前記Ｘ線データとＭＲデータの同時の収集の間、前記回転自在の陽極は回転するＭＲ装置。
【請求項８】
前記非磁束式モータは圧電セラミック・モータ（１１４）を含む、請求項７に記載のＭＲ装置。
【請求項９】
偏向磁場を印加するようにマグネットのボアの周りに位置決めした複数の傾斜コイルと、
ＭＲ画像を収集するためにＲＦコイル・アセンブリにＲＦ信号を送信するようにパルスモジュールによって制御を受けるＲＦ送受信器システム及びＲＦスイッチと、
前記マグネットの前記ボア内に配置された回転自在の陽極（１０４）の回転を制御するように構成したモータ・アセンブリ（９８）とを備え、
前記モータ・アセンブリ（９８）は、
前記モータ・アセンブリ（９８）は、前記陽極（１０４）に動作的に接続したエネルギー蓄積部を含み、
前記モータ・アセンブリ（９８）はさらに、前記エネルギー蓄積部にエネルギーを蓄積するように前記陽極（１０４）を逆回転させるように構成されているＭＲイメージングシステム。
【手続補正２】
【補正対象書類名】明細書
【補正対象項目名】０００８
【補正方法】変更
【補正の内容】
【０００８】
一般によく知られているように、陽極は陰極に対して正の電位差に維持されている金属ターゲット電極である。陽極に衝突した電子は、わずかな部分がＸ線として放出されるがそのエネルギーの大部分を熱として預託する。この結果、受容可能な画質に必要となる量のＸ線を生成させると、陽極に大量の熱が発生する。静止型すなわち固定式の陽極構成では、銅ブロック内にタングステン埋金が植え込まれている。この銅ブロックはタングステン製ターゲットを支持すること、及びタングステン製ターゲットから熱を排除すること、という２重の役割を果たしている。しかし、ターゲット面積が小さいため熱散失は制限され、この結果その最大管電流が制限されしたがってＸ線フラックスが制限される。これに対して回転陽極は、熱負荷特性に優れており、この結果、静止型すなわち固定式の陽極構成と比べてより大きなＸ線出力能力を有する。電子はそのエネルギーを連続して回転するターゲット上に付与しており、このため熱エネルギーを陽極円盤の大きな面積及び質量にわたって分散させることができる。データ収集中に陽極を回転させるためには誘導モータを使用するのが一般的である。この回転によって、Ｘ線ビームが扇形に拡げられるだけでなく、タングステン製ターゲットからの熱が陽極円盤の表面及び質量の全体に放散される。このように熱放散特性を改善させた結果として、回転陽極構成における管電流は静止型の陽極構成において典型的に使用される管電流と比べてかなり大きくすることができる。Ｘ線量は管電流に正比例するため、管電流が増加するとデータ収集のために利用できるＸ線量の増加がもたらされる。しかし上で指摘したように、典型的な回転陽極アセンブリは回転を誘導するために誘導モータを利用している。しかし従来のＭＲスキャナに組み込むと、誘導モータは、ＭＲデータ収集に要求される均一な磁場を阻害することになるような磁束を発生させる。この点において、回転陽極構成は、ハイブリッド型すなわち複合型システムのＭＲ／Ｘ線スキャナには実用的でないと見なされてきた。
【特許文献１】米国特許出願公開第２００３／０１２３６１２号
【手続補正書】
【提出日】平成19年8月31日(2007.8.31)
【手続補正１】
【補正対象書類名】明細書
【補正対象項目名】特許請求の範囲
【補正方法】変更
【補正の内容】
【特許請求の範囲】
【請求項１】  複数のワイヤレス入力装置から入力されたデータを所定の表示装置に表示する表示制御装置において、
受信データの送信元のワイヤレス入力装置を識別する識別手段と、
前記識別手段により識別されたワイヤレス入力装置に応じた表示態様で該ワイヤレス入力装置からの受信データを前記表示装置に表示する表示制御手段と、
を備えたことを特徴とする表示制御装置。
【請求項２】  前記表示制御手段は、前記識別手段により識別されたワイヤレス入力装置に応じた色で該ワイヤレス入力装置からの受信データを前記表示装置に表示することを特徴とする請求項１記載の表示制御装置。
【請求項３】  前記表示制御手段は、前記ワイヤレス入力装置がワイヤレスのポインティング装置である場合に、該ワイヤレスのポインティング装置に応じた表示態様で該ワイヤレスのポインティング装置に対応するカーソルを表示することを特徴とする請求項１又は２記載の表示制御装置。
【請求項４】  前記表示制御手段は、前記ワイヤレス入力装置の属性データを付加して該ワイヤレス入力装置からの受信データを前記表示装置に表示することを特徴とする請求項１〜３の何れかに記載の表示制御装置。
【請求項５】  前記属性データは、前記ワイヤレス入力装置の操作者を示すデータであることを特徴とする請求項４記載の表示制御装置。
【請求項６】  前記識別手段は、前記受信データに付加されたＩＤコードに基づいて前記送信元のワイヤレス入力装置を識別することを特徴とする請求項１〜５の何れかに記載の表示制御装置。
【請求項７】  前記識別手段は、前記ＩＤコードを前記複数のワイヤレス入力装置に設定する設定手段を有することを特徴とする請求項６記載の表示制御装置。
【請求項８】  前記表示制御手段は、前記複数のワイヤレス入力装置に夫々対応する表示態様を選択するための選択画面を前記表示装置に表示することを特徴とする請求項１〜７の何れかに記載の表示制御装置。
【請求項９】  前記表示制御手段は、所定条件下で前記複数のワイヤレス入力装置に対して送信許可を与える許可手段を有することを特徴とする請求項１〜８の何れかに記載の表示制御装置。
【請求項１０】  前記許可手段は、前記ワイヤレス入力装置から送信許可要求がなされた場合に、他のワイヤレス入力装置からのデータの処理中か否かに応じて送信許可を与えることを特徴とする請求項９記載の表示制御装置。
【請求項１１】  複数のワイヤレス入力装置から入力されたデータを所定の表示装置に表示する表示制御方法において、
受信データの送信元のワイヤレス入力装置を識別する識別工程と、
前記識別工程により識別されたワイヤレス入力装置に応じた表示態様で該ワイヤレス入力装置からの受信データを前記表示装置に表示する表示制御工程と、
を備えたことを特徴とする表示制御方法。
【請求項１２】  複数のワイヤレス入力装置から入力されたデータを所定の表示装置に表示する表示制御方法を表示制御装置に実行させるプログラムを記憶する表示制御装置で読取り可能な媒体において、
前記表示制御方法は、受信データの送信元のワイヤレス入力装置を識別する識別ステップと、
前記識別ステップで識別されたワイヤレス入力装置に応じた表示態様で該ワイヤレス入力装置からの受信データを前記表示装置に表示する表示制御ステップと、
を含むことを特徴とする媒体。
【手続補正２】
【補正対象書類名】明細書
【補正対象項目名】００１３
【補正方法】削除
【補正の内容】
【手続補正３】
【補正対象書類名】明細書
【補正対象項目名】００１６
【補正方法】変更
【補正の内容】
【００１６】
ワイヤレスキーボード１，２１は、それぞれ、無線送受信部２，２２、キーボード入力部３，２３、ポインティングデバイス入力部４，２４、入力制御部５，２５、ＩＤ設定部６，２６を有している。また、中央処理装置１１は、無線送受信部１２、入力制御部１３、表示装置制御部１４（表示制御手段）、ＩＤ設定部１５を有している。
【手続補正書】
【提出日】平成19年9月14日(2007.9.14)
【手続補正１】
【補正対象書類名】明細書
【補正対象項目名】特許請求の範囲
【補正方法】変更
【補正の内容】
【特許請求の範囲】
【請求項１】
入力キーと、前記入力キーの下部に設けられ画像情報を表示する手段と、前記画像情報を切り換える変換手段とを有し、
前記入力キーを操作して、前記入力キーを通して視認される前記画像情報を電子装置に入力することを特徴とする電子装置の使用方法。  
【請求項２】
入力キーと、前記入力キーの下部に設けられ画像情報を表示する手段と、前記画像情報を切り換える変換手段とを有し、
前記変換手段により前記画像情報を変換し、前記入力キーを操作して、前記入力キーを通して視認される前記画像情報を電子装置に入力することを特徴とする電子装置の使用方法。
【請求項３】
入力キーと、前記入力キーの下部に設けられ画像情報を表示する手段と、前記画像情報を切り換える変換手段とを有し、
前記入力キーを操作して、前記入力キーを通して視認される前記画像情報を記憶媒体に保存することを特徴とする電子装置の使用方法。  
【請求項４】
入力キーと、前記入力キーの下部に設けられ画像情報を表示する手段と、前記画像情報を切り換える変換手段とを有し、
前記変換手段により前記画像情報を変換し、前記入力キーを操作して、前記入力キーを通して視認される前記画像情報を記憶媒体に保存することを特徴とする電子装置の使用方法。  
【請求項５】
入力キーと、前記入力キーの下部に設けられ画像情報を表示するＥＬ表示装置と、前記画像情報を切り換える変換手段とを有し、
前記入力キーを操作して、前記入力キーを通して視認される前記画像情報を電子装置に入力することを特徴とする電子装置の使用方法。  
【請求項６】
入力キーと、前記入力キーの下部に設けられ画像情報を表示するＥＬ表示装置と、前記画像情報を切り換える変換手段とを有し、
前記変換手段により前記画像情報を変換し、前記入力キーを操作して、前記入力キーを通して視認される前記画像情報を電子装置に入力することを特徴とする電子装置の使用方法。
【請求項７】
入力キーと、前記入力キーの下部に設けられ画像情報を表示するＥＬ表示装置と、前記画像情報を切り換える変換手段とを有し、
前記入力キーを操作して、前記入力キーを通して視認される前記画像情報を記憶媒体に保存することを特徴とする電子装置の使用方法。  
【請求項８】
入力キーと、前記入力キーの下部に設けられ画像情報を表示するＥＬ表示装置と、前記画像情報を切り換える変換手段とを有し、
前記変換手段により前記画像情報を変換し、前記入力キーを操作して、前記入力キーを通して視認される前記画像情報を記憶媒体に保存することを特徴とする電子装置の使用方法。  
【請求項９】
透光性のキーと、前記透光性のキーの下部に設けられ画像情報を表示するＥＬ表示装置と、前記画像情報を切り換える変換手段とを有し、
前記変換手段により前記画像情報を変換し、前記透光性のキーを操作して、前記透光性のキーを通して視認される前記画像情報を電子装置に入力することを特徴とする電子装置の使用方法。  
【請求項１０】
透光性のキーと、前記透光性のキーの下部に設けられ画像情報を表示するＥＬ表示装置と、前記画像情報を切り換える変換手段とを有し、
前記変換手段により前記画像情報を変換し、前記透光性のキーを操作して、前記入力キーを通して視認される前記画像情報を記憶媒体に保存することを特徴とする電子装置の使用方法。  
【請求項１１】
請求項１乃至請求項４のいずれか一において、前記入力キーに画像情報を表示する手段として、ＥＬ表示装置を用いたことを特徴とする電子装置の使用方法。  
【請求項１２】
請求項１乃至請求項１０のいずれか一において、前記画像情報を無線電話回線に送信することを特徴とする電子装置の使用方法。  
【請求項１３】
請求項１乃至請求項１０のいずれか一において、前記画像情報を有線接続された電話回線に送信することを特徴とする電子装置の使用方法。  
【請求項１４】
請求項１乃至請求項１０のいずれか一において、前記画像情報をインターネッットに送信することを特徴とする電子装置の使用方法。
【手続補正書】
【提出日】平成19年9月11日(2007.9.11)
【手続補正１】
【補正対象書類名】明細書
【補正対象項目名】特許請求の範囲
【補正方法】変更
【補正の内容】
【特許請求の範囲】
【請求項１】  操作釦入力手段と座標入力手段と、該操作釦入力手段と座標入力手段からの信号に応じて生成された画像情報に基づいて画像を生成する画像生成手段と該画像生成手段からの画像を出力する画像出力手段とを有する情報処理装置において、
前記画像出力手段に入力される画像信号であって、他の情報処理装置から出力された画像信号を入力する画像入力手段と、
前記操作釦入力手段からの情報を他の情報処理装置へ出力するための第１の出力手段と、
前記座標入力手段からの情報を他の情報処理装置へ出力するための第２出力手段と、
を有することを特徴とする情報処理装置。
【請求項２】  前記画像出力手段から出力する画像を前記画像生成手段からの画像信号と、前記画像入力手段からの画像信号との間で切り替える手段を有することを特徴とする請求項１に記載の情報処理装置。
【請求項３】  前記画像出力手段からの出力信号によって表される画像は、
前記画像生成手段からの出力信号によって表される第１の画像と、
前記第１の画像内のウインドウに配置された前記画像入力手段からの入力信号によって表される第２の画像と
で構成されることを特徴とする請求項１に記載の情報処理装置。
【請求項４】  操作釦入力手段と、座標入力手段と、該操作釦入力手段と座標入力手段からの信号に応じて生成された画像情報に基づいて画像を生成する画像生成手段と、該画像生成手段からの画像信号を出力する画像出力手段と、他の情報処理装置から出力された画像信号を入力する画像入力手段を備えた情報処理装置を制御する方法において、
前記画像出力手段に対して、前記画像生成手段からの画像信号によって表される画像内に前記画像入力手段からの入力信号によって表される画像をはめ込むように制御するはめ込み制御ステップと、
前記座標入力手段からの座標情報によって表される座標が、前記はめ込まれた画像内を表しているかを決定する座標判断ステップと、
前記座標判断ステップにおいて、前記座標入力手段からの情報によって表される座標が前記はめ込まれた画像内を表していると決定された場合に、前記座標入力手段からの座標情報を、前記はめ込み画像に関連付けられた座標情報に変換し、変換した座標情報を前記座標入力手段からの釦情報とともに出力するステップ
を有することを特徴とする情報処理装置を制御する方法。
【請求項５】  操作釦入力手段と、座標入力手段と、画像情報に基づいて画像を生成する画像生成手段と、該画像生成手段からの画像信号を出力する画像出力手段と、他の情報処理装置から出力された画像信号を入力する画像入力手段を備えた情報処理装置を制御するコンピュータ読み取り可能なプログラムを記録した記録媒体において、
前記画像出力手段に対して、前記画像生成手段からの画像信号によって表される画像内に前記画像入力手段からの入力信号によって表される画像をはめ込むように制御するはめ込み制御ステップと、
前記座標入力手段からの座標情報によって表される座標が、前記はめ込まれた画像内を表しているかを決定する座標判断ステップと、
前記座標判断ステップにおいて、前記座標入力手段からの情報によって表される座標が前記はめ込まれた画像内を表していると決定された場合に、前記座標入力手段からの座標情報を、前記はめ込み画像に関連付けられた座標情報に変換し、変換した座標情報を前記座標入力手段からの釦情報とともに出力するステップ
を備えることを特徴とするコンピュータ読み取り可能なプログラムを記録した記録媒体。
【手続補正２】
【補正対象書類名】明細書
【補正対象項目名】００１０
【補正方法】変更
【補正の内容】
【００１０】
また、請求項５に記載の発明は、操作釦入力手段と、座標入力手段と、画像情報に基づいて画像を生成する画像生成手段と、該画像生成手段からの画像信号を出力する画像出力手段と、他の情報処理装置から出力された画像信号を入力する画像入力手段を備えた情報処理装置を制御するコンピュータ読み取り可能なプログラムを記録した記録媒体において、前記画像出力手段に対して、前記画像生成手段からの画像信号によって表される画像内に前記画像入力手段からの入力信号によって表される画像をはめ込むように制御するはめ込み制御ステップと、前記座標入力手段からの座標情報によって表される座標が、前記はめ込まれた画像内を表しているかを決定する座標判断ステップと、前記座標判断ステップにおいて、前記座標入力手段からの情報によって表される座標が前記はめ込まれた画像内を表していると決定された場合に、前記座標入力手段からの座標情報を、前記はめ込み画像に関連付けられた座標情報に変換し、変換した座標情報を前記座標入力手段からの釦情報とともに出力するステップを備えることを特徴とする。
【手続補正３】
【補正対象書類名】明細書
【補正対象項目名】００２４
【補正方法】変更
【補正の内容】
【００２４】
図３は、本実施例に係る情報処理装置、すなわち情報処理装置１内で実行される処理のフローチャートである。本実施形態における情報処理装置１内のマウスの座標情報とキーボードのボタン情報の処理について説明する。図３において、ステップＳ１は情報処理装置１のマウス・ドライバの初期化処理であり、電源が投入されたとき、リセットボタンを押されたと場合などに実行される。ステップＳ２はマウス・カーソルの指示する座標が、二つに区分される表示領域のどちらにあるかの判定であり、マウス・カーソルの座標が情報処理装置１の表示領域にあると決定した場合は、ステップＳ３に進み。ここで情報処理装置１内でマウスの座標情報、ボタン情報等の処理を行い、再びステップＳ２に戻る。
【手続補正４】
【補正対象書類名】明細書
【補正対象項目名】００３２
【補正方法】変更
【補正の内容】
【００３２】
さらに、操作釦入力手段と、座標入力手段と、画像情報に基づいて画像を生成する画像生成手段と、該画像生成手段からの画像信号を出力する画像出力手段と、他の情報処理装置から出力された画像信号を入力する画像入力手段を備えた情報処理装置を制御する方法において、前記画像出力手段に対して、前記画像生成手段からの画像信号によって表される画像内に前記画像入力手段からの入力信号によって表される画像をはめ込むように制御するはめ込み制御ステップと、前記座標入力手段からの座標情報によって表される座標が、前記はめ込まれた画像内を表しているかを決定する座標判断ステップと、前記座標判断ステップにおいて、前記座標入力手段からの情報によって表される座標が前記はめ込まれた画像内を表していると決定された場合に、前記座標入力手段からの座標情報を、前記はめ込み画像に関連付けられた座標情報に変換し、変換した座標情報を前記座標入力手段からの釦情報とともに出力するステップを有するので、マウス等の座標入力装置で指示する領域に応じて、該座標入力装置を該当する情報処理装置においてマウスとして、切り替え使用することができる。
【手続補正書】
【提出日】平成19年9月4日(2007.9.4)
【手続補正１】
【補正対象書類名】明細書
【補正対象項目名】発明の名称
【補正方法】変更
【補正の内容】
【発明の名称】データ処理装置
【手続補正２】
【補正対象書類名】明細書
【補正対象項目名】特許請求の範囲
【補正方法】変更
【補正の内容】
【特許請求の範囲】
【請求項１】  バッテリと記録媒体を装着することができるとともに、装着された前記バッテリを充電することができるデータ処理装置であって、
装着された前記記録媒体を覆う第１の蓋部材と、
前記第１の蓋部材の開閉を検出する第１の開閉検出手段と、
前記第１の開閉検出手段によって前記第１の蓋部材の開状態を検出した場合には、前記装着されたバッテリの充電動作を禁止する制御手段とを有することを特徴とするデータ処理装置。
【請求項２】  前記装着されたバッテリを覆う第２の蓋部材と、前記第２の蓋部材の開閉を検出する第２の開閉検出手段とを有し、
前記制御手段は、前記第２の開閉検出手段によって前記第２の蓋部材の開状態を検出した場合には、前記装着されたバッテリの充電動作を禁止することを特徴とする請求項１に記載のデータ処理装置。
【請求項３】  外部電源が接続される外部電源入力部を有し、前記制御手段は前記外部電源入力部に外部電源が接続されるときに、前記装着されたバッテリの充電動作を行うことを特徴とする請求項１または２に記載のデータ処理装置。
【請求項４】  前記制御手段は、前記第１の開閉検出手段によって前記第１の蓋部材の開状態を検出した場合に、前記装着されたバッテリの消費を抑える省電力状態にて動作させることを特徴とする請求項１ないし３のいずれか１項に記載のデータ処理装置。
【手続補正３】
【補正対象書類名】明細書
【補正対象項目名】０００１
【補正方法】変更
【補正の内容】
【０００１】
【発明の属する技術分野】
本発明はデータ処理装置に関し、特に、装置本体にバッテリを装着して充電することが可能に構成されたデータ処理装置に用いて好適なものである。
【手続補正４】
【補正対象書類名】明細書
【補正対象項目名】０００９
【補正方法】変更
【補正の内容】
【０００９】
【課題を解決するための手段】
本発明のデータ処理装置は、バッテリと記録媒体を装着することができるとともに、装着された前記バッテリを充電することができるデータ処理装置であって、装着された前記記録媒体を覆う第１の蓋部材と、前記第１の蓋部材の開閉を検出する第１の開閉検出手段と、前記第１の開閉検出手段によって前記第１の蓋部材の開状態を検出した場合には、前記装着されたバッテリの充電動作を禁止する制御手段とを有することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００５８
【補正方法】変更
【補正の内容】
【００５８】
【発明の効果】
以上説明したように、本発明によれば、記録媒体を覆う第１の蓋の開状態において記録媒体に電源を供給する不都合が発生するのを防止するために、記録媒体に供給する電源回路を独立に構成しなくても済むようにできる。これにより、装置本体からバッテリへ充電可能なデータ処理装置の回路規模及びその製造コストを低減することが可能となるとともに、記録媒体の着脱を安全に行なうことが可能となる。また、バッテリを充電可能なデータ処理装置の軽量化及び小型化を一層図ることができる。
【手続補正書】
【提出日】平成19年4月5日(2007.4.5)
【手続補正１】
【補正対象書類名】明細書
【補正対象項目名】請求項１
【補正方法】変更
【補正の内容】
【請求項１】  制御対象の絶対位置を検出するアブソリュートセンサと、このアブソリュートセンサの検出結果に基き前記制御対象を駆動する駆動機構を制御する制御装置と、前記アブソリュートセンサの出力信号を前記制御装置に取り込むためのインターフェース装置とを有し、
前記制御装置はパーソナルコンピュータから構成され、前記インターフェース装置は、前記パーソナルコンピュータのカードスロットに装着されたＰＣカードから構成されていることを特徴とするアブソリュートセンサを用いた位置決めシステム。
【手続補正２】
【補正対象書類名】明細書
【補正対象項目名】請求項４
【補正方法】変更
【補正の内容】
【請求項４】  請求項３において、
前記センサ切り換え回路は、前記センサ駆動回路から駆動電力が供給される前記センサ側接続端子の切り換えも行なうことを特徴とする位置決めシステム。
【手続補正３】
【補正対象書類名】明細書
【補正対象項目名】０００３
【補正方法】変更
【補正の内容】
【０００３】
位置決めシステムはマイクロコンピュータにより構成された制御装置を備えており、各アブソリュートセンサからの検出信号をＡ／Ｄ変換ボード、デジタルＩ／Ｏボード等を介して制御装置に取り込んでいる。また、レゾルバ、作動変圧器のように励磁信号等の駆動源が必要なアブソリュートセンサが接続されている場合には、このようなアブソリュートセンサの励磁は専用の変換器を介して行なうようにしている。
【手続補正４】
【補正対象書類名】明細書
【補正対象項目名】０００８
【補正方法】変更
【補正の内容】
【０００８】
【課題を解決するための手段】
図１を参照して説明すると、本発明のアブソリュートセンサを用いた位置決めシステム１は、制御対象２の絶対位置を検出するアブソリュートセンサ３と、このアブソリュートセンサ３の検出結果に基き前記制御対象２を駆動する駆動機構４を制御する制御装置５と、前記アブソリュートセンサ３の出力信号３Ｓを前記制御装置５に取り込むためのインターフェース装置６とを有しており、前記制御装置５はパーソナルコンピュータから構成され、前記インターフェース装置６はＰＣカードからなり、前記パーソナルコンピュータのスロット７に装着されていることを特徴としている。
【手続補正５】
【補正対象書類名】明細書
【補正対象項目名】００１２
【補正方法】変更
【補正の内容】
【００１２】
この場合、前記センサ切り換え回路６５は、前記センサ駆動回路６４から駆動電力が供給される前記センサ側接続端子６１の切り換えも行なうようにすれば、検出時のみ対応するセンサを駆動することができる。
【手続補正６】
【補正対象書類名】明細書
【補正対象項目名】００１７
【補正方法】変更
【補正の内容】
【００１７】
ＰＣカード２０には、図１（ｂ）に示すように、各アブソリュートセンサ１６、１７に接続されたセンサ側接続端子６１と、センサ出力信号１６Ｓ、１７Ｓをデジタルの絶対位置信号に変換するためのＲ／Ｄコンバータ６２と、ここで生成されたデジタル位置信号６２Ｓをパーソナルコンピュータ３０に供給するための接続端子６３と、各アブソリュートセンサの励磁源を含むセンサ駆動回路（励磁回路）６４と、センサ切り換え回路６５が搭載されている。
【手続補正７】
【補正対象書類名】明細書
【補正対象項目名】００１８
【補正方法】変更
【補正の内容】
【００１８】
各センサ１６、１７は、パーソナルコンピュータ３０からの指令に基き動作するセンサ切り換え回路６５によって交互に切り換えられる。すなわち、センサ１６が選択されると、切り換え回路６５によって、接続端子６１におけるセンサ１６の接続端子部分を構成している入力端子がコンバータ６２に接続され、同時に、その駆動出力端子がセンサ駆動回路（励磁回路）６４に接続される。この結果、センサ１６が励磁され、搬送ベルトの移動位置を表わす絶対位置信号１６Ｓが発生して、コンバータ６２に供給され、ここでデジタル位置信号に変換されてパーソナルコンピュータ３０に提供される。パーソナルコンピュータ３０では供給された絶対位置信号に基き、搬送ベルト駆動用モータ１４を駆動制御する。
【手続補正８】
【補正対象書類名】明細書
【補正対象項目名】００１９
【補正方法】変更
【補正の内容】
【００１９】
他方のセンサ１７が選択された場合も同様である。この場合には、切り換え回路６５によって、接続端子６１におけるセンサ１７の接続端子部分を構成している入力端子がコンバータ６２に接続され、同時に、その駆動出力端子がセンサ駆動回路（励磁回路）６４に接続される。この結果、センサ１７が励磁され、スタンパの移動位置を表わす絶対位置信号１７Ｓが発生して、コンバータ６２に供給され、ここでデジタル位置信号に変換されてパーソナルコンピュータ３０に提供される。パーソナルコンピュータ３０では供給された絶対位置信号に基き、スタンパ駆動用モータ１５を駆動制御する。
【手続補正９】
【補正対象書類名】明細書
【補正対象項目名】００２２
【補正方法】変更
【補正の内容】
【００２２】
このように構成した本例の位置決めシステム１０において、接続しているアブソリュートセンサを増加する場合には、増加したアブソリュートセンサをＰＣカード２０の接続端子６１に接続するのみでよい。よって、センサの増設を簡単に行なうことができる。
【手続補正１０】
【補正対象書類名】明細書
【補正対象項目名】００２８
【補正方法】変更
【補正の内容】
【００２８】
【発明の効果】
以上説明したように、本発明の位置決めシステムでは、アブソリュートセンサの検出信号をＰＣカードの形態で構成されているインターフェース装置を介して、制御装置としてのパーソナルコンピュータに取り込、制御対象の位置決めを行なうようになっている。このＰＣカードに、センサ検出信号をデジタル位置信号に変換するためのコンバータ等を搭載しておくことにより、アブソリュートセンサを用いた位置決めシステムを簡単に構築することが可能になる。
【手続補正書】
【提出日】平成19年3月9日(2007.3.9)
【手続補正１】
【補正対象書類名】明細書
【補正対象項目名】発明の名称
【補正方法】変更
【補正の内容】
【発明の名称】サーボ制動方法及び装置
【手続補正２】
【補正対象書類名】明細書
【補正対象項目名】特許請求の範囲
【補正方法】変更
【補正の内容】
【特許請求の範囲】
【請求項１】   フィードフォワードを用いるサーボ制御方法において、負荷の位置とモータの位置をそれぞれ高次微分可能な関数で表し、動作条件とメカのパラメータから、前記高次微分可能な関数を決定し、決定された前記高次微分可能な関数から前記モータの位置、速度、トルク指令を算出し、算出されたモータの位置、速度、トルク指令をフィードフォワード指令とすることを特徴とするサーボ制御方法。
【請求項２】 フィードフォワードを用いるサーボ制御方法において、負荷の位置とモータの位置をそれぞれ高次微分可能な関数で表し、動作条件とメカのパラメータから、前記高次微分可能な関数を決定し、決定された前記高次微分可能な関数からモータのトルク指令を算出し、算出されたトルク指令をメカのモデルに入力し、得られたモータの位置、速度および前記トルク指令をフィードフォワード指令とすることを特徴とするサーボ制御方法。
【請求項３】 前記高次微分可能な関数は１５次の多項式とすることを特徴とする請求項１又は請求項２記載のサーボ制御方法。
【請求項４】 前記動作条件は移動距離と移動時間であることを特徴とする請求項１又は請求項２記載のサーボ制御方法。
【請求項５】 前記高次微分可能な関数を決定する際に制御するメカの運動方程式を用いることを特徴とする請求項１又は請求項２記載のサーボ制御方。
【請求項６】  移動距離（ｄｉｓｔ）と移動時間（ｔｅ）が格納されている動作条件（４）と、モータイナーシャ（Ｊ１）、負荷イナーシャ（Ｊ２）、ばね定数（Ｋｃ）、減衰係数（ＤＬ）が格納されているメカパラメータ（５）とを入力し、モータの位置、速度、トルク指令を計算しモータ位置指令（θｒｅｆ）、モータ速度指令（Ｖｆｆ）および、モータトルク指令値（Ｔｆｆ）を算出し、制御入力とする指令生成部（３）と、位置ループ比例ゲインＫｐ（１）と、速度ループ（２）とを備えたフィードフォワードを用いるサーボ制御装置において、
負荷の位置とモータの位置をそれぞれ高次微分可能な関数で表し、前記動作条件（４）と前記メカパラメータ（５）から、前記高次微分可能な関数を決定し、決定された前記高次微分可能な関数から前記モータの位置、速度、トルク指令を算出し、算出されたモータの位置、速度、トルク指令をフィードフォワード指令とすることを特徴とするサーボ制御装置。
【手続補正書】
【提出日】平成19年9月11日(2007.9.11)
【手続補正１】
【補正対象書類名】明細書
【補正対象項目名】特許請求の範囲
【補正方法】変更
【補正の内容】
【特許請求の範囲】
【請求項１】  複数種類の素材電子文書から構成される統合電子文書を構成する情報処理装置であって、
前記複数種類の素材電子文書を保持する保持手段と、
前記保持手段で保持される前記複数種類の素材電子文書の各々の素材ページ単位電子文書から所望の素材ページ単位電子文書を選択する選択手段と、
前記選択手段で選択された素材ページ単位電子文書に関する文書情報を抽出する抽出手段と、
前記抽出手段で抽出された文書情報に基づいて、統合電子文書を構成する構成手段と、
を備えることを特徴とする情報処理装置。
【請求項２】  前記構成手段は、前記選択手段で選択された素材ページ単位電子文書の選択順に基づいて、該選択された素材ページ単位電子文書の文書情報を編集する編集手段とを備え、
前記編集手段で編集された素材ページ単位電子文書を用いて、前記統合電子文書を構成する
ことを特徴とする請求項１に記載の情報処理装置。
【請求項３】  前記文書情報は、前記素材ページ単位電子文書の目次情報である
ことを特徴とする請求項１に記載の情報処理装置。
【請求項４】  前記文書情報は、前記素材ページ単位電子文書のページ番号である
ことを特徴とする請求項１に記載の情報処理装置。
【請求項５】  前記構成手段は、前記選択手段で選択された素材ページ単位電子文書の選択順に基づいて、該選択された素材ページ単位電子文書にページ番号を付与する付与手段とを備え、
前記付与手段でページ番号が付与された素材ページ単位電子文書を用いて、前記統合電子文書を構成する
ことを特徴とする請求項１に記載の情報処理装置。
【請求項６】  複数種類の素材電子文書から構成される統合電子文書を構成する情報処理方法であって、
前記複数種類の素材電子文書を記憶媒体に保持する保持工程と、
前記保持工程で前記記憶媒体に保持される前記複数種類の素材電子文書の各々の素材ページ単位電子文書から所望の素材ページ単位電子文書を選択する選択工程と、
前記選択工程で選択された素材ページ単位電子文書に関する文書情報を抽出する抽出工程と、
前記抽出工程で抽出された文書情報に基づいて、統合電子文書を構成する構成工程と、
を備えることを特徴とする情報処理方法。
【請求項７】  前記構成工程は、前記選択工程で選択された素材ページ単位電子文書の選択順に基づいて、該選択された素材ページ単位電子文書の文書情報を編集する編集工程とを備え、
前記編集工程で編集された素材ページ単位電子文書を用いて、前記統合電子文書を構成する
ことを特徴とする請求項６に記載の情報処理方法。
【請求項８】  前記文書情報は、前記素材ページ単位電子文書の目次情報である
ことを特徴とする請求項６に記載の情報処理方法。
【請求項９】  前記文書情報は、前記素材ページ単位電子文書のページ番号である
ことを特徴とする請求項６に記載の情報処理方法。
【請求項１０】  前記構成工程は、前記選択工程で選択された素材ページ単位電子文書の選択順に基づいて、該選択された素材ページ単位電子文書にページ番号を付与する付与工程とを備え、
前記付与工程でページ番号が付与された素材ページ単位電子文書を用いて、前記統合電子文書を構成する
ことを特徴とする請求項６に記載の情報処理方法。
【請求項１１】  複数種類の素材電子文書から構成される統合電子文書を構成する情報処理をコンピュータに実行させるためのプログラムが格納されたコンピュータ可読メモリであって、
前記複数種類の素材電子文書を記憶媒体に保持する保持工程と、
前記保持工程で前記記憶媒体に保持される前記複数種類の素材電子文書の各々の素材ページ単位電子文書から所望の素材ページ単位電子文書を選択する選択工程と、
前記選択工程で選択された素材ページ単位電子文書に関する文書情報を抽出する抽出工程と、
前記抽出工程で抽出された文書情報に基づいて、統合電子文書を構成する構成工程と、
をコンピュータに実行させるためのプログラムが格納されたことを特徴とするコンピュータ可読メモリ。